(57)【要約】【課題】低消費電力で正確な情報を表示する表示機能付きＩＣカード等を提供する。【解決手段】ＩＣチップ２８はリーダライタと通信し、電子マネー残額等のデータを受信してメモリに記録、更新する。ＩＣチップ２８がリーダライタと通信することによりアンテナ２９に交流電圧が発生する。通信検出部３１ａは、整流回路３３で交流電圧を直流電圧に変換し、コンデンサ３５に蓄電を行なう。ユーザが、スイッチ４を押下すると、制御部２１のＣＰＵが起動し、コンデンサ３５の電位を読み取る。コンデンサ３５の電位がしきい値以上の場合、制御部２１のＣＰＵはＩＣチップ２８がメモリに記録するデータを読み出し、制御部２１のメモリに記録して当該データをディスプレイ３に表示する。コンデンサ３５の電位がしきい値以上でない場合、制御部２１のＣＰＵは、メモリに記録しているデータをディスプレイ３に表示する。【選択図】図２
2012118831.tif 000002
【特許請求の範囲】
【請求項１】
外部と通信を行ない受信したデータをメモリに記録するＩＣチップと、
ディスプレイと、
前記ディスプレイに表示を行なうためのスイッチと、
前記ディスプレイの表示を制御する表示制御部と、
前記ＩＣチップで通信が行われたか否かを示す通信情報を保持する通信検出部と、
を具備し、
前記表示制御部は、
前記通信情報に応じて前記通信が行われたことを検出した場合に、前記ＩＣチップに記録されたデータを取得して前記データを前記表示制御部のメモリに記録し、
前記スイッチがオン状態となった際、前記表示制御部のメモリに記録されたデータを前記ディスプレイに表示することを特徴とする表示機能付きＩＣカード。
【請求項２】
前記表示制御部は、
前記スイッチがオン状態となった際、前記通信情報に応じて前記通信が行われたことを検出した場合に、前記ＩＣチップに記録されたデータを取得して前記データを前記表示制御部のメモリに記録するとともに前記データを前記ディスプレイに表示し、前記通信が行われたことを検出しなかった場合には、前記表示制御部のメモリに記録されたデータを前記ディスプレイに表示することを特徴とする請求項１に記載の表示機能付きＩＣカード。
【請求項３】
前記表示制御部は、
前記ＩＣチップの通信の際、前記通信情報に応じて前記通信が行われたことを検出し、前記ＩＣチップに記録されたデータを取得して前記データを前記表示制御部のメモリに記録し、
前記スイッチがオン状態となった際、前記表示制御部のメモリに記録されたデータを前記ディスプレイに表示することを特徴とする請求項１に記載の表示機能付きＩＣカード。
【請求項４】
前記表示制御部は、前記通信情報に応じて前記通信検出部から前記ＩＣチップの通信が行われたことを示す信号を受信することにより、前記通信が行われたことを検出することを特徴とする請求項３記載の表示機能付きＩＣカード。
【請求項５】
前記通信検出部は、前記ＩＣチップの通信時発生する電圧により蓄電を行なうコンデンサを有し、
前記通信情報は、前記コンデンサの蓄電量であることを特徴とする請求項１から請求項４のいずれかに記載の表示機能付きＩＣカード。
【請求項６】
前記通信検出部は、前記ＩＣチップのアンテナを用いた非接触式の通信時、前記アンテナから発生する交流電圧を直流電圧に変換し前記コンデンサへの蓄電を行う整流回路を更に有することを特徴とする請求項５に記載の表示機能付きＩＣカード。
【請求項７】
外部と通信を行ない受信したデータをメモリに記録するＩＣチップと、
ディスプレイと、
前記ディスプレイに表示を行なうためのスイッチと、
前記ディスプレイの表示を制御する表示制御部と、
前記ＩＣチップで通信が行われたか否かを示す通信情報を保持する通信検出部と、を具備する表示機能付きＩＣカードにおいて表示を行なう表示方法であって、
前記表示制御部が、
前記通信情報に応じて前記通信が行われたことを検出した場合に、前記ＩＣチップに記録されたデータを取得して前記データを前記表示制御部のメモリに記録し、
前記スイッチがオン状態となった際、前記表示制御部のメモリに記録されたデータを前記ディスプレイに表示することを特徴とする表示方法。
【請求項８】
前記表示制御部が、
前記スイッチがオン状態となった際、前記通信情報に応じて前記通信が行われたことを検出した場合に、前記ＩＣチップに記録されたデータを取得して前記データを前記表示制御部のメモリに記録するとともに前記データを前記ディスプレイに表示し、前記通信が行われたことを検出しなかった場合には、前記表示制御部のメモリに記録されたデータを前記ディスプレイに表示することを特徴とする請求項７に記載の表示方法。
【請求項９】
前記表示制御部が、
前記ＩＣチップの通信の際、前記通信情報に応じて前記通信が行われたことを検出し、前記ＩＣチップに記録されたデータを取得して前記データを前記表示制御部のメモリに記録し、
前記スイッチがオン状態となった際、前記表示制御部のメモリに記録されたデータを前記ディスプレイに表示することを特徴とする請求項７に記載の表示方法。
【発明の詳細な説明】
【技術分野】
【０００１】
本発明は、表示機能を備えた表示機能付きＩＣカード、および表示機能付きＩＣカードにおける表示方法等に関するものである。
【背景技術】
【０００２】
近年、ＩＣ（Ｉｎｔｅｇｒａｔｅｄ  Ｃｉｒｃｕｉｔ）カード本体に表示機能を備えたものが開発されている。このような表示機能付きＩＣカードのひとつに、接触式、あるいは非接触式通信により取得した電子マネー残額等のデータをＩＣチップに記憶し、これを表示用ＣＰＵ等の表示制御部の制御によりディスプレイに表示するものがある。特許文献１には、このような表示機能付きＩＣカードの例が記載されている。
【先行技術文献】
【特許文献】
【０００３】
【特許文献１】特開２００７−１３３５６３号公報
【発明の概要】
【発明が解決しようとする課題】
【０００４】
このような表示機能付きＩＣカードについては、電力の供給が限られる等の観点から、できるだけ省電力としつつ動作することが求められる。
【０００５】
例えば、電子マネー残額などＩＣチップに記録されているデータをＩＣカードのディスプレイに表示するためには、表示制御部がＩＣチップのデータを読み出す必要があるが、この場合、表示のたびにＩＣチップを動作させることになり、消費電力が大きくなる。
【０００６】
一方、表示制御部のメモリにＩＣチップのデータを記録し、メモリ内のデータを表示するという方法も考えられるが、ＩＣチップの最新のデータと表示制御部のメモリ内のデータの整合性を保つことが必要になる。
【０００７】
本発明は、前述した問題点に鑑みてなされたもので、その目的は、表示制御部とディスプレイの最小限の動作で表示を行うとともに、表示する情報とＩＣチップに記録されている情報の整合性を保つことで、低消費電力で正確な情報を表示する表示機能付きＩＣカード等を提供することである。
【課題を解決するための手段】
【０００８】
前述した目的を達成するための第１の発明は、外部と通信を行ない受信したデータをメモリに記録するＩＣチップと、ディスプレイと、前記ディスプレイに表示を行なうためのスイッチと、前記ディスプレイの表示を制御する表示制御部と、前記ＩＣチップで通信が行われたか否かを示す通信情報を保持する通信検出部と、を具備し、前記表示制御部は、前記通信情報に応じて前記通信が行われたことを検出した場合に、前記ＩＣチップに記録されたデータを取得して前記データを前記表示制御部のメモリに記録し、前記スイッチがオン状態となった際、前記表示制御部のメモリに記録されたデータを前記ディスプレイに表示することを特徴とする表示機能付きＩＣカードである。
【０００９】
例えば、前記表示制御部は、前記スイッチがオン状態となった際、前記通信情報に応じて前記通信が行われたことを検出した場合に、前記ＩＣチップに記録されたデータを取得して前記データを前記表示制御部のメモリに記録するとともに前記データを前記ディスプレイに表示し、前記通信が行われたことを検出しなかった場合には、前記表示制御部のメモリに記録されたデータを前記ディスプレイに表示する。
【００１０】
あるいは、前記表示制御部は、前記ＩＣチップの通信の際、前記通信情報に応じて前記通信が行われたことを検出し、前記ＩＣチップに記録されたデータを取得して前記データを前記表示制御部のメモリに記録し、前記スイッチがオン状態となった際、前記表示制御部のメモリに記録されたデータを前記ディスプレイに表示する。
前記表示制御部は、前記通信情報に応じて前記通信検出部から前記ＩＣチップの通信が行われたことを示す信号を受信することにより、前記通信が行われたことを検出することができる。
【００１１】
例えば、前記通信検出部は、前記ＩＣチップの通信時発生する電圧により蓄電を行なうコンデンサを有し、前記通信情報は、前記コンデンサの蓄電量である。
また、前記通信検出部は、前記ＩＣチップのアンテナを用いた非接触式の通信時、前記アンテナから発生する交流電圧を直流電圧に変換し前記コンデンサへの蓄電を行う整流回路を更に有する。
【００１２】
前述した目的を達成するための第２の発明は、外部と通信を行ない受信したデータをメモリに記録するＩＣチップと、ディスプレイと、前記ディスプレイに表示を行なうためのスイッチと、前記ディスプレイの表示を制御する表示制御部と、前記ＩＣチップで通信が行われたか否かを示す通信情報を保持する通信検出部と、を具備する表示機能付きＩＣカードにおいて表示を行なう表示方法であって、前記表示制御部が、前記通信情報に応じて前記通信が行われたことを検出した場合に、前記ＩＣチップに記録されたデータを取得して前記データを前記表示制御部のメモリに記録し、前記スイッチがオン状態となった際、前記表示制御部のメモリに記録されたデータを前記ディスプレイに表示することを特徴とする表示方法である。
【００１３】
例えば、前記表示制御部が、前記スイッチがオン状態となった際、前記通信情報に応じて前記通信が行われたことを検出した場合に、前記ＩＣチップに記録されたデータを取得して前記データを前記表示制御部のメモリに記録するとともに前記データを前記ディスプレイに表示し、前記通信が行われたことを検出しなかった場合には、前記表示制御部のメモリに記録されたデータを前記ディスプレイに表示する。
【００１４】
あるいは、前記表示制御部が、前記ＩＣチップの通信の際、前記通信情報に応じて前記通信が行われたことを検出し、前記ＩＣチップに記録されたデータを取得して前記データを前記表示制御部のメモリに記録し、前記スイッチがオン状態となった際、前記表示制御部のメモリに記録されたデータを前記ディスプレイに表示する。
【００１５】
上記の構成により、通信情報に応じてＩＣチップの通信が行われたことを検出した場合に、ＩＣチップからデータを取得して表示制御部のメモリに記録するデータ取得処理を行い、スイッチのオンによりデータの表示が要求されたとき表示制御部のメモリに記録したデータを表示する表示処理を行う。従って、従来の表示機能付きＩＣカードではデータ表示を行なうごとにＩＣチップを動作する処理を行っていたが、本発明ではＩＣチップの通信が行われデータの更新がされていなかった場合には、ＩＣチップのデータの取得は行なわないので、消費電力が削減される。また、ディスプレイに表示するデータを表示制御部のメモリに記録するが、上記構成によりＩＣチップが通信を行いメモリに更新、記録したデータとの整合性を保つことができ、表示するデータが正確になる。
【００１６】
また、スイッチがオン状態となった際に、通信情報に応じてＩＣチップの通信が行われたことを検出し、ＩＣチップに記録されたデータを取得して表示制御部のメモリに記録するとともにこれをディスプレイに表示し、一方で、通信が行われたことを検出しなかった場合には、表示制御部のメモリに記録されたデータをディスプレイに表示することで、スイッチのオン時かつＩＣチップの通信が行われていた場合にのみ、ＩＣチップのデータを取得するので、消費電力が削減される。
【００１７】
また、ＩＣチップの通信が行われた際に、通信情報に応じて通信が行われたことを、通信検出部から信号を受信するなどして検出し、ＩＣチップに記録されたデータを取得して表示制御部のメモリに記録し、スイッチがオン状態となった際、表示制御部のメモリに記録されたデータをディスプレイに表示することで、スイッチがオンとなっても表示制御部はＩＣチップのデータの取得は行なわず、常に自身のメモリのデータを表示するので、消費電力が削減される。ＩＣチップの通信が行われた際にはＩＣチップを駆動してデータを取得することになるが、通信方法によるものの、通信の際にリーダライタから電力の供給を受けてＩＣチップの電力をまかなうことも可能であり、消費電力の削減が同様に期待できる。
【００１８】
また、通信検出部を、通信時に発生する電圧により蓄電を行なうコンデンサとし、電位等の蓄電量を通信の有無を示す通信情報とすることで、通信時以外の瞬間的な電圧発生等による誤作動を防ぐことが容易になり、ＩＣカードにかかる上記制御の安定化が期待できる。また、ＩＣチップのアンテナを用いた非接触式の通信時、アンテナより発生する交流電圧を直流電圧に変換しコンデンサへの蓄電を行う整流回路を設けることで、アンテナを用いた非接触式の通信を行なう表示機能付きＩＣカードにおいて、コンデンサの蓄電量を通信情報として用いる処理を適用することができる。
【発明の効果】
【００１９】
本発明により、表示制御部とディスプレイの最小限の動作で表示を行うとともに、表示する情報とＩＣチップに記録されている情報の整合性を保つことで、低消費電力で正確な情報を表示する表示機能付きＩＣカード等を提供することができる。
【図面の簡単な説明】
【００２０】
【図１】表示機能付きＩＣカード１の外観図
【図２】表示機能付きＩＣカード１ａの内部構成を示すブロック図
【図３】表示機能付きＩＣカード１ａにおける処理の流れを示すフローチャート
【図４】表示機能付きＩＣカード１ｂの内部構成を示すブロック図
【図５】表示機能付きＩＣカード１ｂにおける処理の流れを示すフローチャート
【図６】表示機能付きＩＣカード１ｃの内部構成を示すブロック図
【発明を実施するための形態】
【００２１】
以下、図面に基づいて本発明の表示機能付きＩＣカードの実施形態について詳細に説明する。
【００２２】
まず、図１を用いて、本発明の実施形態に係る表示機能付きＩＣカード１の外観について説明する。図１は、表示機能付きＩＣカード１の外観図である。図１の表示機能付きＩＣカード１で示す外観は、以降説明する本発明の各実施形態で共通する。
【００２３】
本発明の実施形態に係る表示機能付きＩＣカード１は、非接触式および接触式の通信を行うことによりＩＣチップに電子マネー残額等のデータを記録するデータ取得機能と、表示制御部の制御により当該データを表示する表示機能とを兼ね備えたＩＣカードであり、図１に示すように、カード本体２の表面にディスプレイ３、スイッチ４、接触式の通信を行なうための接触端子５を有する。なお、これらの配置は図１に示すものに限られることはない。
【００２４】
ディスプレイ３は、例えば液晶ディスプレイ、電子ペーパ等であり、文字等のデータを表示する。
スイッチ４は、そのオン／オフにより、ディスプレイ３にデータの表示を行なう、あるいは、表示内容を更新するための操作ボタンである。
接触端子５は、接触式の通信を行う際に外部のリーダライタの端子と接触するもので、接触式の通信を行なう際は、接触端子５を介してデータやＩＣチップ２８の駆動用の電力が供給される。
【００２５】
次に、図２、３を参照しながら、表示機能付きＩＣカード１の第１の実施形態について説明する。
【００２６】
図２は、第１の実施形態の表示機能付きＩＣカード１ａの機能構成を示すブロック図である。表示機能付きＩＣカード１ａは、制御部（表示制御部）２１、ディスプレイドライバ２３、ディスプレイ３、電源２５、スイッチ４、ＩＣチップ２８、アンテナ（コイル）２９、整流回路３３、コンデンサ３５等を有する。
【００２７】
制御部２１は、ディスプレイ３へのデータの表示を制御するものであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）等のメモリや、外部入出力端子等がワンチップ化されたものである。制御部２１は、ＩＣチップ２８、ディスプレイドライバ２３、電源２５、スイッチ４、コンデンサ３５と接続する。
【００２８】
制御部２１は、スイッチ４が操作されオン状態とされると、電源２５から供給される電力により駆動され、ディスプレイドライバ３２を介してディスプレイ３にデータを表示する表示処理を行う。
【００２９】
ディスプレイドライバ２３は、ディスプレイ３と接続し、制御部２１による制御に従い、ディスプレイ３を駆動する。ディスプレイ３は、制御部２１による制御に従い、データの表示を行なう。制御部２１、ディスプレイ３、ディスプレイドライバ２３は、表示駆動回路を形成する。
【００３０】
電源２５は、制御部２１に電力を供給するものであり、一次電池、二次電池等、電池の種類は問わない。
【００３１】
ＩＣチップ２８は、ＣＰＵ、ＲＯＭ、ＲＡＭ、ＥＥＰＲＯＭ等を備える。ＩＣチップ２８は、非接触式および接触式の通信を行うためのインタフェースを有するデュアルインタフェースＩＣチップである。
【００３２】
ＩＣチップ２８は、外部のカードリーダライタとの間で通信を行い、ＲＯＭに格納されたプログラムに従ってデータ処理を実行する。例えば、電子マネー残額等のデータをカードリーダライタから受信し、ＥＥＰＲＯＭに保存する。
【００３３】
アンテナ２９は、ＩＣチップ２８がカードリーダライタと非接触式の通信を行なうためのアンテナである。ＩＣチップ２８の通信時、アンテナ２９はリーダライタから生じている磁界により交流電圧を発生し、これによりＩＣチップ２８が駆動する。アンテナ２９は、カード本体２の内部を周回して設けられ、その両端がＩＣチップ２８に接続される。ＩＣチップ２８およびアンテナ２９は非接触通信部である非接触インレットを形成する。
【００３４】
整流回路３３は、アンテナ２９、コンデンサ３５と接続し、非接触式の通信時にアンテナ２９から発生する交流電圧を直流電圧に変換してコンデンサ３５に出力する。
コンデンサ３５は、整流回路３３から出力された直流電圧により蓄電を行う。
【００３５】
整流回路３３とコンデンサ３５は、ＩＣチップ２８の通信が行なわれたか否かを示す通信情報をコンデンサ３５の蓄電量として保持する通信検出部３１ａを構成する。即ち、通信検出部３１ａは、ＩＣチップ２８の非接触式の通信によりアンテナ２９から発生した電圧によりコンデンサ３５に蓄電を行う。コンデンサ３５の電位等の蓄電量は、以降示すデータ表示処理において、ＩＣチップ２８で通信が行われた（ＩＣチップ２８のメモリのデータが更新された）ことを示すフラグである通信情報として扱われる。
【００３６】
図３は、表示機能付きＩＣカード１ａにおけるデータ取得および表示処理の流れを示すフローチャートである。図３（ａ）はＩＣチップ２８が外部のリーダライタとの間で非接触式の通信を行う際の流れを示す。図３（ｂ）は、スイッチ４がオン状態となった場合に、制御部２１がＩＣチップ２８のメモリに記録されたデータを取得し、これをディスプレイ３に表示する処理の流れを示す。
【００３７】
図３（ａ）に示すように、ユーザが、ＰＣ（Ｐｅｒｓｏｎａｌ  Ｃｏｍｐｕｔｅｒ）等に接続された外部のリーダライタに表示機能付きＩＣカード１ａをかざす等すると、ＩＣチップ２８のＣＰＵはリーダライタと通信し、電子マネー残額等のデータをリーダライタから受信し、ＩＣチップ２８のメモリにこれを記録し更新する（ステップＳ１０１）。
【００３８】
非接触式の通信が行われる際、アンテナ２９から交流電圧が発生する。通信検出部３１ａは、整流回路３３によりアンテナ２９からの交流電圧を整流して直流電圧に変換し、コンデンサ３５に蓄電する（ステップＳ１０２）。
【００３９】
このようにして、表示機能付きＩＣカード１ａでは、ＩＣチップ２８で通信が行われた際に、ＩＣチップ２８のメモリのデータが記録され更新されると共に、コンデンサ３５で蓄電が行なわれる。コンデンサ３５の電位等で表される蓄電量は、ＩＣチップ２８の通信が行なわれＩＣチップ２８のメモリのデータが更新されたことを示す通信情報である。
【００４０】
一方、図３（ｂ）に示すように、ユーザが、ディスプレイ３でデータ表示を行なうべくスイッチ４を押下するなどしてこれをオン状態とすると、制御部２１はスリープ状態から起動し（ステップＳ２０１）、制御部２１のＣＰＵがコンデンサ３５の電位（蓄電量）を読み取る（ステップＳ２０２）。
【００４１】
コンデンサ３５の電位がしきい値以上の場合（ステップＳ２０３のＹｅｓ）、制御部２１のＣＰＵはＩＣチップ２８のメモリに記録されたデータを読み出し、制御部２１のメモリに記録する（ステップＳ２０４）。そして、制御部２１のＣＰＵは、メモリに記録したデータをディスプレイ３に表示する（ステップＳ２０５）。この際、制御部２１とコンデンサ３５の間にリセット回路等を設け、制御部２１がＩＣチップ２８からデータを読み出した後、コンデンサ３５の電位をリセットするようにしておくとよい。また、上記のしきい値は、一度の通信が行なわれた際にコンデンサ３５に生じる電位等の蓄電量を考慮して定めることができる。
【００４２】
コンデンサ３５の電位がしきい値以上でない場合（ステップＳ２０３のＮｏ）、新たにＩＣチップ２８の通信が行われていない（ＩＣチップ２８のメモリのデータが更新されていない）ことになるので、制御部２１のＣＰＵは、ＩＣチップ２８がメモリに記録するデータを読み出さず、制御部２１のメモリに記録しているデータをディスプレイ３に表示する（ステップＳ２０５）。
【００４３】
以上説明したように、第１の実施形態の表示機能付きＩＣカード１ａでは、ＩＣチップ２８が外部のリーダライタと通信すると、アンテナ２９からの電圧により通信検出部３１ａのコンデンサ３５に蓄電する。ユーザによりスイッチ４がオン状態とされた際に、制御部２１は、コンデンサ３５の電位がしきい値以上である場合、ＩＣチップ２８がリーダライタと通信してＩＣチップ２８のメモリのデータが更新されていたと判定し、ＩＣチップ２８のメモリから更新されたデータを読み出す。
【００４４】
従って、スイッチ４がオン状態となりデータの表示が要求されたとき、必ずしもＩＣチップ２８を動作させることはなく、コンデンサ３５の電位がしきい値以上でない場合、即ち、ＩＣチップ２８のメモリのデータの更新が行われていない場合は制御部２１のメモリに記録したデータを表示する。当該データは、ＩＣチップ２８のメモリに記録されているデータと等しく、ＩＣチップ２８のメモリのデータと制御部２１のメモリのデータの整合性が保たれ正確なデータの表示が行なわれる。そして、スイッチ４がオン状態であり、かつ、コンデンサ３５の電位がしきい値以上の場合、即ち、ＩＣチップ２８のメモリのデータの更新が行われていたときのみＩＣチップ２８を動作させるため、消費電力が低減される。
【００４５】
さらに、通信検出部３１ａを整流回路３３とコンデンサ３５で構成することで、上記のような非接触通信時の通信情報としてコンデンサ３５の蓄電量を用いることができ、上記のしきい値を定めて通信時以外の瞬間的な電圧発生等による誤動作を防ぐことができる。
【００４６】
次に、図４、５を参照しながら、表示機能付きＩＣカード１の第２の実施形態について説明する。
【００４７】
図４は、第２の実施形態の表示機能付きＩＣカード１ｂの内部構成を示すブロック図である。表示機能付きＩＣカード１ｂは、制御部（表示制御部）２１、ディスプレイドライバ２３、ディスプレイ３、電源２５、スイッチ４、ＩＣチップ２８、アンテナ２９、整流回路３３、コンデンサ３５、電圧監視回路３７等を有する。
【００４８】
制御部２１は、第１の実施形態と同様の構成を有し、ＩＣチップ２８、ディスプレイドライバ２３、電源２５、スイッチ４、電圧監視回路３７と接続する。その他ディスプレイドライバ２３、ディスプレイ３、電源２５、スイッチ４、ＩＣチップ２８、アンテナ２９の構成も、第１の実施形態と同様である。
【００４９】
整流回路３３は、アンテナ２９、コンデンサ３５と接続し、非接触式の通信時にアンテナ２９から発生する交流電圧を直流電圧に変換してコンデンサ３５に出力する。
コンデンサ３５は、整流回路３３から出力された直流電圧により蓄電を行う。また、電圧監視回路３７と接続される。
電圧監視回路３７は、コンデンサ３５の電位がしきい値以上になると、制御部２１に信号を送る。
【００５０】
整流回路３３、コンデンサ３５、電圧監視回路３７は、ＩＣチップ２８の通信が行なわれたか否かを示す通信情報をコンデンサ３５の蓄電量として保持し、これに応じて制御部２１にＩＣチップ２８の通信が行なわれたことを通知する通信検出部３１ｂを構成する。即ち、通信検出部３１ｂは、ＩＣチップ２８の非接触式の通信によりアンテナ２９から発生した電圧によりコンデンサ３５に蓄電を行い、コンデンサ３５の電位がしきい値以上となると、電圧監視回路３７が制御部２１に対して信号を送り、ＩＣチップ２８で通信が行われた（ＩＣチップ２８のメモリのデータが更新された）ことを通知する。
【００５１】
図５は、表示機能付きＩＣカード１ｂにおけるデータ取得および表示処理の流れを示すフローチャートである。図５（ａ）は、ＩＣチップ２８が外部のリーダライタとの間で非接触式の通信を行いメモリに記録したデータを、制御部２１が取得するデータ取得処理の流れを示す。図５（ｂ）は、スイッチ４がオン状態となった場合に、制御部２１がデータをディスプレイ３に表示する表示処理の流れを示す。
【００５２】
図５（ａ）に示すように、ユーザが、ＰＣ等に接続された外部のリーダライタに表示機能付きＩＣカード１ｂをかざす等すると、ＩＣチップ２８のＣＰＵはリーダライタと通信し、電子マネー残額等のデータをリーダライタから受信し、ＩＣチップ２８のメモリにこれを記録し更新する（ステップＳ３０１）。
【００５３】
非接触式の通信が行われる際、アンテナ２９から交流電圧が発生する。通信検出部３１ｂは、整流回路３３によりアンテナ２９からの交流電圧を整流して直流電圧に変換し、コンデンサ３５に蓄電する。電圧監視回路３７は、コンデンサ３５の電位を常に監視しており、上記の蓄電によりコンデンサ３５の電位がしきい値以上になったことを検出する（ステップＳ３０２）と、制御部２１のＣＰＵにこれを示す信号を送信する（ステップＳ３０３）。上記のしきい値は、一度の通信が行なわれた際にコンデンサ３５に生じる電位等の蓄電量を考慮して定めることができる。
【００５４】
制御部２１は、上記信号の受信に応じてスリープ状態から復帰し（ステップＳ３０４）、制御部２１のＣＰＵが、ＩＣチップ２８のメモリに記録されたデータを読み出し、制御部２１のメモリに記録する（ステップＳ３０５）。この際、制御部２１とコンデンサ３５の間にリセット回路等を設け、制御部２１がＩＣチップ２８からデータを読み出した後、コンデンサ３５の電位をリセットするようにしておくとよい。
【００５５】
このようにして、表示機能付きＩＣカード１ｂでは、ＩＣチップ２８で通信が行われた際に、ＩＣチップ２８のメモリのデータが記録され更新されると共に、コンデンサ３５で蓄電が行なわれる。コンデンサ３５の電位等で表される蓄電量は、ＩＣチップ２８の通信が行われＩＣチップ２８のメモリのデータが更新されたことを示す通信情報であり、これがしきい値以上になると、制御部２１のＣＰＵがＩＣチップ２８のメモリのデータを読み出し、これを制御部２１のメモリに記録する。
【００５６】
一方、図５（ｂ）に示すように、ユーザが、ディスプレイ３でデータ表示を行なうべくスイッチ４を押下するなどしてこれをオン状態とすると、制御部２１はスリープ状態から起動し（ステップＳ４０１）、制御部２１のＣＰＵが、メモリに記録しているデータをディスプレイ３に表示する（ステップＳ４０２）。
【００５７】
以上説明したように、第２の実施形態の表示機能付きＩＣカード１ｂでは、表示機能付きＩＣカード１ｂがリーダライタと通信すると、アンテナ２９からの電圧によりコンデンサ３５に蓄電する。通信検出部３１ｂの電圧監視回路３７は、コンデンサ３５の電位がしきい値以上になると、制御部２１に信号を送信し、ＩＣチップ２８がリーダライタと通信してＩＣチップ２８のメモリのデータが更新されたことを通知する。これにより、制御部２１はＩＣチップ２８からデータを読み出し、メモリに記憶する。スイッチ４がオン状態とされると、制御部２１は、ＩＣチップ２８のデータを読み取るのではなく、制御部２１のメモリに記録されたデータをディスプレイ３に表示する。
【００５８】
従って、ＩＣチップ２８の通信が行なわれデータが更新されたときのみ、制御部２１がＩＣチップ２８を動作させるため、データ表示のたびにＩＣチップ２８を起動する必要がなく、消費電力を低減することができる。また、ＩＣチップ２８のデータが更新されるたびに制御部２１のメモリに当該データが記録されるため、ＩＣチップ２８のメモリのデータと制御部２１のメモリのデータの整合性が保たれ正確なデータの表示が行なわれる。更に、通信の仕様にもよるが、制御部２１の動作にＩＣチップ２８の通信時にアンテナ２９より生じる電力を用いることも可能であり、これを更に省電力とすることも期待しうる。
【００５９】
なお、以上の実施形態は、非接触式の通信が行なわれた際に、これをコンデンサ３５の蓄電量により通信情報として保持する例を示したものだが、接触式の通信が行なわれた際も、同様の構成によりこれをコンデンサの蓄電量により通信情報として通信検出部で保持し、第１、第２の実施形態と同様の処理を進めることができる。
【００６０】
即ち、接触式の通信の場合、外部のカードリーダライタにより、表示機能付きＩＣカード１（１ａ、１ｂ）の接触端子５を介してＩＣチップ２８にデータ書き込み用の電圧が供給されるが、この接触端子５とＩＣチップ２８の間の電圧供給用の回路に、第１の実施形態の表示機能付きＩＣカード１ａの場合であれば、制御部２１と接続する上記と同様のコンデンサを接続するとよい。ここで供給される電圧は直流電圧であるので、整流回路の構成は省略できる。
また、第２の実施形態の表示機能付きＩＣカード１ｂの場合も、上記回路にコンデンサを接続するとともに、当該コンデンサと制御部２１との間に上記と同様の電圧監視回路を接続するとよい。
そして、第１、第２の実施形態において説明したしきい値を、１回の接触式の通信によりコンデンサに蓄電される蓄電量を考慮して定めることで、図３や図５で説明した、第１、第２の実施形態と同様の処理を進めることができる。
【００６１】
これらのコンデンサは上記の各実施形態のコンデンサ３５とは別に設けてもよいし、同一としてもよい。非接触式あるいは接触式のいずれかの通信を行なう表示機能付きＩＣカードであれば、いずれかの構成を適用すればよい。
【００６２】
また、図６に示すように、ＩＣチップ２８の通信を行なうためのアンテナ２９とは別に、ＩＣチップ２８のアンテナ２９による通信時、アンテナ２９と同様に電圧を発生するアンテナ３９（コイル）を通信検出部３１ｃの構成として設け、整流回路３３をアンテナ３９に接続するようにしてもよい。
【００６３】
この表示機能付きＩＣカード１ｃでは、アンテナ３９は、アンテナ２９によりＩＣチップ２８が通信を行った際に、アンテナ２９と同様、交流電圧が発生するよう構成されている。
また、整流回路３３は、アンテナ３９、コンデンサ３５と接続し、アンテナ３９からの交流電圧を直流電圧に変換してコンデンサ３５に出力する。
コンデンサ３５は、整流回路３３から出力された直流電圧により蓄電を行う。また、電圧監視回路３７と接続される。
電圧監視回路３７は、コンデンサ３５の電位がしきい値以上になると、制御部２１に信号を送る。
【００６４】
整流回路３３、コンデンサ３５、電圧監視回路３７、アンテナ３９により構成される更新検出部３１ｃは、非接触式の通信に伴いアンテナ３９から発生した電圧によりコンデンサ３５に蓄電を行い、コンデンサ３５の電位がしきい値以上となると、電圧監視回路３７が制御部２１に対して信号を送り、ＩＣチップ２８で通信が行われた（ＩＣチップ２８のメモリのデータが更新された）ことを通知する。
【００６５】
この場合、表示機能付きＩＣカード１ｃにおける処理の流れは、第２の実施形態の表示機能付きＩＣカード１ｂと同様とすることができる。従って、第２の実施形態と同様の効果が得られる。さらに、制御部２１、ディスプレイドライバ２３、ディスプレイ３、電源２５、スイッチ４、アンテナ２９、ＩＣチップ２８による従来の表示機能付きＩＣカードにおけるＩＣチップ２８の構成に手を加え、調整を行う必要がないという利点を有する。
【００６６】
または、図６の通信検出部３１ｃの構成から電圧監視回路３７を省略して、コンデンサ３５と制御部２１を接続し、第１の実施形態で示した処理、即ち、スイッチ４がオン状態となった場合に制御部２１がコンデンサ３５の電位を読み取る場合にも適用することができる。第１の実施形態と同様の効果を得ることができるとともに、上記と同様、ＩＣチップ２８の構成に手を加え、調整を行う必要がないという利点も得られる。
【００６７】
以上、添付図面を参照しながら、本発明に係る表示機能付きＩＣカード等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６８】
例えば、通信が行なわれたか否かを示す通信情報としては、コンデンサ３５の電位に限ることはない。
例えば、ＩＣチップ２８の通信を検出する通信検出部として、アンテナ２９に所定のしきい値以上の電圧が発生した場合に、通信が行なわれたことを示す信号を制御部２１に送信するスイッチング回路等を設けてもよい。
【００６９】
第１の実施形態の処理手順を適用する際には、制御部２１は上記の信号を受信して、制御部２１のメモリあるいは別に設けたメモリにこれを通信情報として記憶し、図３（ｂ）のステップＳ２０２、２０３にかえて、この通信情報によりＩＣチップ２８の通信が行われた（ＩＣチップ２８のメモリのデータが更新された）かどうかを判定するようにしておき、以降の処理を同様に行う。
一方、第２の実施形態の処理手順を適用する際には、図５（ａ）のステップＳ３０２、３０３にかえて、制御部２１は上記の信号を受信すると、ＩＣチップ２８のデータを読み取ってメモリに記録するようにしておき、図５（ｂ）のステップＳ４０１以降の処理を同様に進める。
これによっても、各実施形態で説明したものと同様の効果が達成される。
【符号の説明】
【００７０】
１、１ａ、１ｂ、１ｃ………表示機能付きＩＣカード
２………カード本体
３………ディスプレイ
４………スイッチ
５………接触端子
２１………制御部
２３………ディスプレイドライバ
２５………電源
２８………ＩＣチップ
２９、３９………アンテナ
３１ａ、３１ｂ、３１ｃ………通信検出部
３３………整流回路
３５………コンデンサ
３７………電圧監視回路
【図１】
2012118831.tif 000003
【図２】
2012118831.tif 000004
【図３】
2012118831.tif 000005
【図４】
2012118831.tif 000006
【図５】
2012118831.tif 000007
【図６】
2012118831.tif 000008